(57)【要約】【課題】既存・新設を問わずダウンライトの周囲全体を明るく照らすことが可能な補助照明装置及び照明システムを提供する。【解決手段】天井の凹部４３に設置された照明装置３１の周囲に設置される補助照明装置１であって、円環状の基板２と、この基板２の表面上に配列された複数のＬＥＤ素子３と、前記複数のＬＥＤ素子３が配列された基板２を収容する円環状の透光性を有するカバー４と、を有する。そして、カバー４は留め具５で固定され、この留め具５は断面コの字状に形成され一の端部をカバー４に係止し他の端部を構造物６の隙間に介挿してカバー４を構造物６に装着する。【選択図】図１
2017107699.tif 000002
【特許請求の範囲】
【請求項１】
天井の凹部に設置された照明装置の周囲に設置される補助照明装置であって、円環状の基板と、この基板の表面上に配列された複数のＬＥＤ素子と、前記複数のＬＥＤ素子が配列された基板を収容する円環状の透光性を有するカバーと、を有することを特徴とする補助照明装置。
【請求項２】
前記カバーは留め具で固定され、この留め具は断面コの字状に形成され一の端部を前記カバーに係止し他の端部を構造物の隙間に介挿して前記カバーを前記構造物に装着することを特徴とする請求項１記載の補助照明装置。
【請求項３】
前記カバーは、内側に前記基板の表面を支持するマウント部を備えることを特徴とする請求項１又は請求項２に記載の補助照明装置。
【請求項４】
前記円環状の基板は傾斜面を備え、前記ＬＥＤ素子は前記傾斜面に配列され、前記傾斜面は、前記ＬＥＤ素子からの発光が、前記基板が形成する円環の外側に向かって放射されるように形成されることを特徴とする請求項１乃至請求項３のいずれか１項に記載の補助照明装置。
【請求項５】
前記複数のＬＥＤ素子は、色温度の仕様が異なる少なくとも２種類のＬＥＤ素子であり、これら少なくとも２種類のＬＥＤ素子は、それぞれ異なる種類毎に単独又は所望の組み合わせで、発光可能に制御されることを特徴とする請求項１乃至請求項４のいずれか１項に記載の補助照明装置。
【請求項６】
前記複数のＬＥＤ素子は、光の三原色である赤色、緑色、青色のいずれかをそれぞれ発光するＬＥＤ素子の群を構成し、それぞれの群毎に単独又は所望の群の組み合わせ、さらにはそれぞれの群内での発光数も含めた所望の群の組み合わせで、所望の色相に発色可能に制御されることを特徴とする請求項１乃至請求項４のいずれか１項に記載の補助照明装置。
【請求項７】
天井の凹部に挿入された際に前記天井の凹部周囲を覆う鍔状部を備えて筒状に形成される筐体を有して前記天井の凹部に設置され、前記筐体内部にＬＥＤ素子を収容して発光する照明装置と、この照明装置の周囲に請求項１乃至請求項６のいずれか１項に記載される補助照明装置と、を有することを特徴とする照明システム。
【請求項８】
前記照明装置のＬＥＤ素子及び前記補助照明装置の複数のＬＥＤ素子は、それぞれ独立に発光可能に制御されることを特徴とする請求項７記載の照明システム。
【発明の詳細な説明】
【技術分野】
【０００１】
本発明は、天井に凹部を形成してその内部に設置される照明装置に対し、天井の凹部周囲に円環状に設置される補助照明装置とそのシステムに関する。
【背景技術】
【０００２】
ホテルの客室や会議場の演壇付近等をはじめとして、天井に凹部を形成して設置される照明装置、いわゆるダウンライトは、図９に示されるような構造をしている。
図９において、照明装置３１は、天井面４２ａから天井４２の上側に形成された凹部４３の内部に収容されている。そして、照明装置３１は交流電源３２から交流ケーブル３３を引き、電源コンバータ３４で交流から直流に変換して、基板３８に設置された下向きのＬＥＤ素子３９に電力を供給する。ＬＥＤ素子３９から放射される光は照明装置３１のフード３６内に設けられた反射鏡３７で反射されながら透明あるいは半透明のカバー４０を透過して下方を照射する。
一般的なダウンライトである照明装置３１では、凹部４３における放熱を促進するために放熱フィン３５が設けられている。また、フード３６には固定具４１が設けられており、その下端は天井４２の裏面に着座して照明装置３１全体を支持することで凹部４３内に固定されている。
このようなダウンライトの需要は高いものの、近年急速に光源として普及している発光ダイオード（ＬＥＤ）を採用する際には、その発光メカニズムから生ずる高い指向性によって、ダウンライトから直線的で狭い範囲でのみ照射するように作用して、天井面４２ａにおける凹部４３の周囲を照らすためには別途広範囲に光を照射することができる照明装置を別途設ける必要があった。
すなわち、図９に模式的に記載されるとおり、ダウンライト直下では明領域を形成するものの、凹部４３の周囲は暗領域を形成してしまい、広範囲に光を照射することができないという課題があった。
【０００３】
このような課題に対して、本願出願人は特許文献１に示される「ＬＥＤ照明機器の取付構造」なる発明を創出している。この発明では、輝度の高いＬＥＤ照明を有効に利用するために、発光体であるＬＥＤチップを、設置面よりも突出して設け、発光体が直接見えるように形成することで、周縁部も明るく照らすことができるようにしている。
【０００４】
また、特許文献２には、「室内照明装置」という名称で、複数の光源を効率よく使用し、光源の搭載数又は各光源の最大発光量を低減できる室内照明装置が開示されている。
この発明では、照明装置自体は天井に凹部を形成して設けるダウンライトではなく天井面にそのまま設置するいわゆるシーリングライトであるが、円環状に形成された基板に寒色系ＬＥＤ及び暖色系ＬＥＤの両方を配置して、しかも、それらの両方を駆動しながら光源の搭載数や各光源の最大発光量を低減するように制御している。
【先行技術文献】
【特許文献】
【０００５】
【特許文献１】特開２０１３−２１８９４１号公報
【特許文献２】特開２０１３−２３７３５６号公報
【発明の概要】
【発明が解決しようとする課題】
【０００６】
しかしながら、特許文献１に開示される技術では、ダウンライトの本来的な機能である照射範囲を狭めて集中的に照らすという機能を発揮しづらくなると共に、既存のダウンライトに対しては用いることができず、新規の照明装置に対してのみ採用可能な機器となっている。
また、特許文献２に開示される発明では、ダウンライトには採用することができず、この発明においても新規の照明装置に採用される制御方法の発明であり、既存のダウンライトに適用するには無理がある。
【０００７】
本発明はかかる従来の事情に対処してなされたものであり、既存のダウンライト自体には手を加えることなく追加して採用することが可能であり、また、工事も簡単で短期間の納期を可能としつつ、選択的にダウンライト本来の機能を発揮させる場合とダウンライト本来の機能を強めつつ周囲全体を明るく照らす機能の両方を発揮することが可能な補助照明装置を提供することを目的とする。
また、新規にダウンライトを設置する際にも、ダウンライトとして採用される照明装置に簡単に補助装置を追加することで、既存のダウンライトに設備を追加するのと同様に、ダウンライト本来の機能とダウンライト本来の機能を弱めて周囲全体を明るく照らす機能の両方を発揮することが可能な照明システムを提供することも目的とする。
【課題を解決するための手段】
【０００８】
上記目的を達成するため、第１の発明である補助照明装置は、天井の凹部に設置された照明装置の周囲に設置される補助照明装置であって、円環状の基板と、この基板の表面上に配列された複数のＬＥＤ素子と、前記複数のＬＥＤ素子が配列された基板を収容する円環状の透光性を有するカバーと、を有するものである。
上記構成の補助照明装置では、円環状の基板表面上に配列された複数のＬＥＤ素子が、天井の凹部に設置された照明装置の周縁部を照らすように作用する。
【０００９】
第２の発明である補助照明装置は、第１の発明である補助照明装置において、前記カバーは留め具で固定され、この留め具は断面コの字状に形成され一の端部を前記カバーに係止し他の端部を構造物の隙間に介挿して前記カバーを前記構造物に装着することを特徴とするものである。
この場合のカバーの色は特に限定するものではなく、どのような色でも着色可能であり、また透明でも半透明でもよい。
上記構成の補助照明装置では、第１の発明の作用に加えて、コの字状の留め具の一の端部が構造物の隙間に介挿するように作用し、他の端部がカバーに係止するように作用する。
【００１０】
第３の発明である補助照明装置は、第１又は第２の発明である補助照明装置において、前記カバーは、内側に前記基板の表面を支持するマウント部を備えることを特徴とするものである。
上記構成の補助照明装置では、第１又は第２の発明の作用に加えて、マウント部がＬＥＤ素子を配列している基板表面を支持するように作用する。すなわち、基板の裏面を何らかの構造材に接着するなどして設置する必要がない。
【００１１】
また、第４の発明である補助照明装置は、第１乃至第３のいずれか１つの発明である補助照明装置において、前記円環状の基板は傾斜面を備え、前記ＬＥＤ素子は前記傾斜面に配列され、前記傾斜面は、前記ＬＥＤ素子からの発光が、前記基板が形成する円環の外側に向かって放射されるように形成されることを特徴とするものである。
上記構成の補助照明装置では、第１乃至第３のいずれか１つの発明の作用に加えて、円環状の基板の傾斜面にＬＥＤ素子が配列されることによって、ＬＥＤ素子の発光面が鉛直方向から円環の外側に向かって傾斜するので、鉛直方向に発光面を向けたＬＥＤ素子に比較して、より円環の外側に向かって光が放射されるように作用する。
【００１２】
第５の発明である補助照明装置は、第１乃至第４の発明のいずれか１つの発明である補助照明装置において、前記複数のＬＥＤ素子は、色温度の仕様が異なる少なくとも２種類のＬＥＤ素子であり、少なくとも２種類のＬＥＤ素子は、それぞれ異なる種類毎に単独又は所望の組み合わせで、所望の色温度に発光可能に制御されることを特徴とするものである。
上記構成の補助照明装置では、第１乃至第４の発明の作用に加えて、色温度の仕様が異なる少なくとも２種類のＬＥＤ素子がそれぞれ異なる種類毎に単独又は所望に組み合わせて発光制御されることで、ＬＥＤ素子は様々な色温度の光を照射するように作用する。
なお、色温度とは、ある光源が発している光の色を定量的な数値で表現する尺度（単位）であり、単位には熱力学的温度のＫ（ケルビン）が利用されている。具体的には、例えば家庭用の蛍光灯の「電球色」は約２９００Ｋとされ、「昼白色」は約５０００Ｋ、「昼光色」では６５００Ｋとされている。また、本願における「暖色系」とは４０００Ｋ以下の場合を指し、「寒色系」とは８０００Ｋより高い色温度を指し、その間の色温度を「中間系」とする。
【００１３】
そして、第６の発明である補助照明装置は、第１乃至第４の発明のいずれか１つの発明である補助照明装置において、前記複数のＬＥＤ素子は、光の三原色である赤色、緑色、青色のいずれかをそれぞれ発光するＬＥＤ素子の群を構成し、それぞれの群毎に単独又は所望の群の組み合わせ、さらにはそれぞれの群内での発光数も含めた所望の群の組み合わせで、所望の色相に発色可能に制御されることを特徴とするものである。
上記構成の補助照明装置では、第１乃至第４の発明の作用に加えて、光の三原色である赤色、緑色、青色のいずれかをそれぞれ発光するＬＥＤ素子の群が、それぞれの群毎に単独又は所望の群に組み合わせて発光制御されることで、ＬＥＤ素子は様々な色相の光を照射するように作用する。
【００１４】
第７の発明である照明システムは、天井の凹部に挿入された際に前記天井の凹部周囲を覆う鍔状部を備えて筒状に形成される筐体を有して前記天井の凹部に設置され、前記筐体内部にＬＥＤ素子を収容して発光する照明装置と、この照明装置の周囲に第１乃至第６のいずれか１つの発明である補助照明装置と、を有することを特徴とするものである。
このように構成される照明システムでは、補助照明装置として第１乃至第６のいずれか１つの発明である補助照明装置を採用するので、その作用は第１乃至第６のいずれか１つの発明である補助照明装置と同様である。
【００１５】
第８の発明である照明システムは、第７の発明において、前記照明装置のＬＥＤ素子及び前記補助照明装置の複数のＬＥＤ素子は、それぞれ独立に発光可能に制御されることを特徴とするものである。
上記構成の照明システムでは、第７の発明の作用に加えて、照明装置のＬＥＤ素子と補助照明装置の複数のＬＥＤ素子がそれぞれ独立に発光制御されるように作用することで、ＬＥＤ素子は照明装置の周囲の状況に応じて多様な光を照射するように作用する。
【発明の効果】
【００１６】
本発明の第１の発明である補助照明装置では、円環状の基板表面上に配列された複数のＬＥＤ素子によって天井の凹部に設置された照明装置によって直接照らされることのない周縁部で直接発光して、周縁部を効率的及び効果的に照らすことが可能である。
【００１７】
本発明の第２の発明である補助照明装置では、第１の発明の効果に加えて、例えば天井の凹部の周囲に保護のための円環状の板材が設けられている等の場合に、コの字状の留め具によって、容易にカバーをその構造物に設置することが可能となる。元々固定されている構造物と天井の隙間を利用して、留め具の一の端部を介挿することで、ＬＥＤ素子、基板及びカバーをそのまま保持することが可能である。従って、既存の照明装置に追加する補助照明装置の設置に際して、工事が容易で工期も短縮することが可能である。また、美観も損ねることがないという優れた効果を有している。
【００１８】
本発明の第３の発明である補助照明装置では、第１又は第２の発明の効果に加えて、ＬＥＤ素子を配列している基板の表面を下に向けてそのままマウント部に載置するだけで、基板をカバーに設置することができる。すなわち、重力によって基板を容易に固定することが可能となる。固定方法としては基板の裏面に接着剤を塗布して何らかの構造材に接着することも考えられるが、基板表面が下方を向いている状態で、発熱する基板に塗布された接着剤は早晩劣化することが考えられ、カバー内部で落下してずれを生じるなどの不具合が発生する可能性が高い。従って、マウント部を予め形成して基板を載置する方法は極めて優れている。
【００１９】
本発明の第４の発明である補助照明装置では、第１乃至第３の発明の効果に加えて、円環状の基板の傾斜面に配列されたＬＥＤ素子からの光が円環のより外側に向けて放射されるので、天井の凹部に設置された照明装置の周縁部のより遠方まで効率的かつ効果的に照らすことが可能である。
【００２０】
本発明の第５の発明である補助照明装置では、第１乃至第４の発明の効果に加えて、様々な色温度の光を照射することができる。
【００２１】
本発明の第６の発明である補助照明装置では、第１乃至第４の発明の効果に加えて、様々な色相の光を照射することができる。
【００２２】
本発明の第７の発明である照明システムでは、補助照明装置として第１乃至第５のいずれかの発明である補助照明装置を採用するので、その効果は第１乃至第５のいずれか発明に係る補助照明装置と同様である。
【００２３】
本発明の第８の発明である照明システムでは、第８の発明の効果に加えて、周囲の環境や状況に応じて多様な光を照射することができる。
【図面の簡単な説明】
【００２４】
【図１】本発明の第１の実施の形態に係る補助照明装置の構成を示す断面図である。
【図２】本発明の第１の実施の形態に係る補助照明装置の光源を示す概念図である。
【図３】（ａ）は本発明の第１の実施の形態に係る補助照明装置の拡大断面図であり、（ｂ）は第１の実施の形態に係る補助照明装置の第１の変形例の拡大断面図である。
【図４】（ａ）は本発明の第１の実施の形態に係る補助照明装置の第２の変形例の拡大断面図であり、（ｂ）は第１の実施の形態に係る補助照明装置の第３の変形例の拡大断面図である。
【図５】（ａ）は本発明の第２の実施の形態に係る補助照明装置の拡大断面図であり、（ｂ）は第２の実施の形態に係る補助照明装置の第１の変形例の拡大断面図である。
【図６】本発明の第３の実施の形態に係る補助照明装置の構成を示す断面図である。
【図７】本発明の第４の実施の形態に係る照明システムの構成を示す断面図である。
【図８】本発明の第４の実施の形態に係る照明システムにおける補助照明装置の拡大断面図である。
【図９】本発明の従来技術を説明するための照明装置に構成を示す断面図である。
【発明を実施するための形態】
【００２５】
以下に、本発明の第１の実施の形態に係る補助照明装置について図１乃至図４を参照しながら説明する。
図１は本発明の第１の実施の形態に係る補助照明装置の構成を示す断面図である。なお、図９に記載される構成と同一の構成については同一の符号を付してその説明は省略する。図２は第１の実施の形態に係る補助照明装置の光源を示す概念図である。図３（ａ）は第１の実施の形態に係る補助照明装置の拡大断面図であり、（ｂ）はその第１の変形例の拡大断面図、図４（ａ）は第２の変形例の拡大断面図であり、（ｂ）はその第３の変形例の拡大断面図である。
図１において、補助照明装置１は、天井４２裏に形成された凹部４３内に設置された照明装置３１の天井面４２ａの周囲に設置されている。補助照明装置１は基板２とＬＥＤ素子３を備えており、その形状及び配列については、図２に示されるとおり、円環状に形成された基板２の表面に、同様に円環状に複数のＬＥＤ素子３が配列されている。また、この基板２を覆うように構成された透光性を備えた円環状のカバー４及びこのカバー４を係止するための断面コの字状の留め具５を備えている。
光源であるＬＥＤ素子３に対する電力は、交流電源３２の交流ケーブル３３から分岐された交流ケーブル３３にＡＣドライバー７を接続して直流変換した後、直流ケーブル８を介して供給される。
さらに、第１の実施の形態における補助照明装置１では、従来の照明装置３１に、カバー４を固定する留め具５の一端を介挿するための構造物が存在していないので、円環状の鍔部６ａを備えた筒状挿入物６を凹部４３に挿入し、その鍔部６ａと天井面４２ａの隙間に留め具５の一端を介挿している。
【００２６】
次に図３及び図４を参照しながら、補助照明装置１の構成とその設置方法について複数の変形例も含めて詳細に説明する。
図３（ａ）において、補助照明装置１のカバー４の内面には基板２を浮かせて保持するためのマウント部である支持部材９が形成されており、ＬＥＤ素子３が実装される基板２表面側を下に向け、基板２はそのまま支持部材９上に載置されている。このように支持部材９を形成することで基板２は安定して固定され、ＬＥＤ素子３とカバー４の内面との距離を一定に維持して、内面と接触することなく保持することが可能である。また、基板２の交換も容易である。
また、カバー４の上部には薄板を断面コの字状に形成した留め具５の一の端部を挿入可能なスリット状の孔１０が穿設されている。また、留め具５の他の端部はカバー４の上面及び図１に示される筒状挿入物６の鍔部６ａの上面（天井面４２ａと接触する側の面）と、天井面４２ａとの隙間に介挿される。なお、留め具の他の端部はカバー４に挿入可能なスリット状の孔をもう１つ開けて、その孔を通して鍔部６ａの上面と天井面４２ａの隙間に介挿してもよい。
【００２７】
このように構成される補助照明装置１では、図１に模式的に示すとおり、照明装置３１の周囲の天井面４２ａに円環状に構成されるＬＥＤ素子３によって、凹部４３内に設置される照明装置３１では照らすことが難しい周囲の天井面４２ａをはじめ、その下方で照度が低めとなる箇所に対しても十分照射することが可能であり、照明装置３１の照度不足を補って明領域を拡大することが可能である。図９に示される明領域と暗領域と図１に示される明領域と暗領域の分布を比較すると、図１に示される明領域が拡大されていることがよく理解できる。また、図１に示される明領域と暗領域の分布については、他の実施の形態やその変形例に関する図では示さないが、同様に分布させることが可能である。
また、照明装置３１とは別個独立に制御することによって、ダウンライトとして照明装置３１を使用している最中にはＬＥＤ素子３の発光を止めることも可能であり、補助照明装置１が設置される部屋の使用環境や状況に応じて、点灯、消灯を自由に選択することが可能となる。
また、補助照明装置１においては、ＬＥＤ素子３を実装した基板２及びカバー４の自重は留め具５を介して、筒状挿入物６によって支えられることになる。従って、筒状挿入物６を凹部４３に固定しておけば、カバー４は容易に着脱可能であり、基板２やカバー４の交換も短時間で容易に実施可能である。
【００２８】
次に、図３（ｂ）に示される変形例について説明する。図３（ｂ）では、留め具５の一の端部がスリット状の孔１０に挿入されつつ、さらに基板２の下面側に位置して基板２の荷重をも支えることができるように留め具５の亘り部が幅広に形成されている。すなわち、筒状挿入物６の鍔部６ａ及び基板２を留め具５で挟むように構成することで、支持部材９を設けることなくＬＥＤ素子３とカバー４の内面との距離を一定に維持して、内面と接触することなく保持することが可能である。
なお、カバー４は透光性を備えていれば、透明であっても半透明であってもよいし、着色されていてもよい。着色は赤、青、黄、緑等の基本的な色の他、補助照明装置１が使用される環境や状況に応じて適宜決定されればよく、特に限定するものではない。また、その材質はいわゆるプラスチックといった合成樹脂が望ましいが、これも特に限定するものではない。さらに、図３（ａ）の本実施の形態においてはカバー４の内面に支持部材９を設けて基板２を支持する構造としたが、図１に示される鍔部６ａの下面に接着剤で接合したり、ビス留め等で固定してもよい。但し、接着剤を用いる場合にはＬＥＤ素子３の発熱によって劣化し基板２が鍔部６ａから剥がれてしまうような接着剤でないことが望ましい。
また、本実施の形態においては照明装置３１の周囲の天井面４２ａにカバー４を係止するための構造物が存在しない場合を想定して鍔部６ａを備えた筒状挿入物６を凹部４３に挿入し、その鍔部６ａを構造物としてカバー４を係止したが、照明装置３１の周囲にカバー４を係止可能な構造物が存在するような場合には、鍔部６ａを備えた筒状挿入物６を用いる必要がないことは言うまでもない。
図１の他、図６及び図７においても支持部材９が示されていないが、これらの実施の形態やその変形例においても支持部材９を設けるようにすることを排除するものではない。
【００２９】
次に、図４を参照しながら、本実施の形態に係る補助照明装置の第２及び第３の変形例について説明する。図４（ａ）に示される変形例に係る補助照明装置１ａのカバー４ａは留め孔１２が穿設された縁部１１を備えている。第１の実施の形態では、留め具５を備えてカバー４を係止する構成としたが、本変形例のように留め具５を備えることなく留め孔１２を備えて天井面４２ａに釘やビス、ボルト等の固定具を用いて固定してもよい。但し、このような固定具を用いると簡単に着脱することができず、交換等をすると固定具を留めた天井面４２ａ側の孔が大きくなり固定ができなくなったり、他の場所に新たな孔を開けると元の孔が美観を損ねることもあるので、必ずしも好ましくない場合がある。
また、図４（ｂ）は補助照明装置１ａのカバー４ａをカバー４０と一体に形成した変形例を示している。一般的には照明装置３１のカバー４０はそれ単体で設置されており、その後に補助照明装置を追加する場合には、そのカバーも単体で構成されると考えられるが、予め補助照明装置を設置することが決定されているような場合の補助照明装置１ａにおいては、照明装置３１のカバー４０と補助照明装置１ａのカバー４ａを一体化することも可能である。このように一体化することで、補助照明装置１ａのカバー４ａと同時にカバー４０を着脱することが可能となり、カバー４ａとカバー４０の交換やそれぞれのＬＥＤ素子３，３９を容易に短時間で行うことが可能であり、照明装置３１と補助照明装置１ａの発光のバリエーションも容易に構成、変更することが可能である。
このような場合にはカバー４０とカバー４ａの色は、照明装置３１と補助照明装置１ａが使用される環境や状況に応じて統一されてもよいし、別個独立に着色されてもよい。
さらに、これらの変形例についても他の実施の形態やその変形例において採用することを排除するものではない。
【００３０】
次に、図５を参照しながら、本発明の第２の実施の形態に係る補助照明装置について説明する。図５（ａ）は、本発明の第２の実施の形態に係る補助照明装置の拡大断面図であり、図５（ｂ）はその変形例である。
図５（ａ）において、第２の実施の形態に係る補助照明装置１ｂは、第１の実施の形態に係る補助照明装置１の基板２が平板であったのに対して、表面に斜面を含むものである。この傾斜基板１５の斜面１６ａは円環の外側に向くように形成され、その斜面１６ａにＬＥＤ素子３を実装することで、ＬＥＤ素子３からの光の放射面が、鉛直方向から斜面１６ａがなす角度に応じて、円環の外側に向かって形成されることになる。従って、ＬＥＤ素子３から放射される光を天井面４２ａに沿うようにより遠方まで届けることが可能であり、よって、照明装置３１のより広範囲の周囲まで光を照射することが可能である。
また、斜面１６ａは実装されるＬＥＤ素子３がカバー４の内側表面に接触しない角度と面積を備えており、底面１６ｂはカバー４の内側表面に接触することで傾斜基板１５ａを支持している。底面１６ｂがカバー４の内側表面に接触することで暗くなることが考えられるため、底面１６ｂの面積は可能な限り小さくすることが望ましく、また、支持部材９を設けてカバー４の内側表面との間に隙間を設けてもよい。支持部材９を設けることで影の発生を抑制してカバー４全体からの発光に資することが可能である。
【００３１】
さらに、底面１６ｂに代えて斜面１６ａと対称に形成される斜面を設けて山形基板としてもよい。円環状に構成されるので、中央の下向き頂点から両側に斜面が形成されても頂点が円環状に形成され、その部分で支持することが可能である。
さらに、図５（ｂ）に示される変形例のように構成されてもよい。この補助照明装置１ｂの傾斜基板１５ｂでは、円錐の一部を水平に切り取ったような形状、すなわち円錐台の上面と下面がないような形状をしている。このように構成される変形例においても、カバー４に接触する頂点１６ｃが円環状に形成されるため基板２を支持することが可能である。なお、頂点１６ｃの位置はなるべく照明装置３１の中央側（図面中右側）に近く設定する方がカバー４全体からの発光に際しては影の発生を抑制することができる。
この場合にも形成される斜面１６ａにＬＥＤ素子３が実装されるが、この斜面１６ａの角度や面積はＬＥＤ素子３がカバー４の内側表面に接触することがない程度であることが望ましい。
なお、本実施の形態における斜面の傾斜角度については、ＬＥＤ素子３のカバー４内側表面に接触しないことの他には、補助照明装置１ｂの用途に応じて適宜決定されるとよい。また、他の実施の形態やその変形例において基板２を傾斜基板１５ａ，１５ｂや山形基板とすることも可能である。
【００３２】
次に、図６を参照しながら、本発明の第３の実施の形態に係る補助照明装置について説明する。図６は、本発明の第３の実施の形態に係る補助照明装置の構成を示す断面図である。
図６において、補助照明装置１ｃは照明装置３１の周囲の天井面４２ａに設けられた装飾縁面１７に係止されている。一般的に、ダウンライトのような照明装置３１では、フード３６の周囲に枠（鍔状部）が形成され、凹部４３周囲の天井面４２ａの一部を円環状に覆ったり、枠（鍔状部）を備えていない場合であっても天井に形成された凹部４３に照明装置３１が収容されるのみならず、天井面４２ａには装飾縁面１７が設けられることが一般的である。第３の実施の形態では、天井面４２ａに装飾縁面１７が設けられた際に、その装飾縁面１７を補助照明装置１ｃのカバー４を係止するための構造物として利用する場合を想定している。従って、第３の実施の形態では、留め具５の一の端部は孔１０に挿通され、留め具５の他の端部はカバー４の上面及び装飾縁面１７の上面（天井面４２ａと接触する側の面）と、天井面４２ａとの隙間に介挿される。
このようにして補助照明装置１ｃでは、ＬＥＤ素子３を実装した基板２及びカバー４の自重は留め具５を介して、装飾縁面１７によって支えられる。
【００３３】
次に、図７及び図８を参照しながら、本発明の第４の実施の形態に係る照明システムについて説明する。図７は本発明の第４の実施の形態に係る照明システムの構成を示す断面図であり、図８はその照明システムにおける補助照明装置の拡大断面図である。
図７において、照明システム１ｅを構成する照明装置１８は交流電源３２から交流ケーブル３３を引き、スイッチモード電源コンバータ１９で交流から直流に変換して、基板２３に設置された下向きの暖色系ＬＥＤ２４ａ及び寒色系ＬＥＤ２４ｂに電力を供給する。暖色系ＬＥＤ２４ａ及び寒色系ＬＥＤ２４ｂから放射される光は照明装置１８のフード２１内に設けられた反射鏡２２で反射されながら透光性のあるカバー２５を透過しながら下方を照射する。
また、照明装置１８では、鍔状部（枠）２７が、フード２１と反射鏡２２の隙間に挿入されており、フード２１の筒状部分に形成された窪みに係止されるように鍔状部２７の筒状部の符合する位置に窪みを備えて嵌まる構造となっている。この構造によって、鍔状部２７が固定されており、この鍔状部２７が凹部４３の天井面４２ａの周囲を円環状に覆っている。本実施の形態においては、鍔状部２７はフード２１との嵌め合い構造で固定されているが、特にこの方法に限定されるものではなく、鍔状部２７の固定方法としては、反射鏡２２の下端やフード２１の下端に留め部を設けて固定されてもよい。
照明装置１８においても放熱フィン２０が設けられており、フード２１は下端が天井４２の裏面に着座する固定具２８を備えており、その固定具２８によって照明装置１８が支持されることで凹部４３内に固定されている。
【００３４】
照明システム１ｅを構成する補助照明装置１ｄは、図８に示されるとおり、留め具５の一の端部が孔１０に挿通され、留め具５の他の端部はカバー４の上面及び照明装置１８の鍔状部２７の上面（天井面４２ａと接触する側の面）と、天井面４２ａとの隙間に介挿されている。
従って、補助照明装置１ｄでは、ＬＥＤ素子３を実装した基板２及びカバー４の自重は留め具５を介して、鍔状部２７すなわち照明装置１８によって支えられる。
【００３５】
次に、照明装置１８について説明を加える。本実施の形態に係る照明システム１ｅでは、照明装置１８の光源であるＬＥＤ素子として、暖色系ＬＥＤ２４ａ及び寒色系ＬＥＤ２４ｂの２通りのＬＥＤを同時に基板２３に実装している。また、これらの暖色系ＬＥＤ２４ａ及び寒色系ＬＥＤ２４ｂはそれぞれ複数実装してもよい。
このように暖色系ＬＥＤ２４ａと寒色系ＬＥＤ２４ｂの両方を基板２３に実装し、さらに、スイッチモード電源コンバータ（ＳＭＰＳ：Switch Mode Power Supply）１９を搭載することで、これらを選択的に発光させることが可能である。スイッチモード電源コンバータ１９は単に交流電流を直流電流に変換するのみならず、スイッチング可能な電源コンバータであり、設定により暖色系ＬＥＤ２４ａのみの場合、寒色系ＬＥＤ２４ｂのみの場合及び暖色系ＬＥＤ２４ａと寒色系ＬＥＤ２４ｂの混合の場合等がスイッチを入れる度に変更され、発光色の選択が可能である。
このように暖色系の発光色と寒色系の発光色を選択可能とすることで、クルイトフの効果として有名な発光色による演色性をより効果的に発揮することが可能となる。簡単な例としては、夏の暑い時期には寒色系の発光色を選択し、冬の寒い時期には暖色系の発光色を選択する等がある。もちろん、１日の時間帯においても演色性を発揮させることも可能である。
また、ＬＥＤ素子として暖色系及び寒色系のみならず、それらの中間系の発光色を放射するものを採用してもよい。色温度の異なる仕様のＬＥＤ素子の種類や数はその用途によって適宜定められるとよい。
【００３６】
なお、本実施の形態に係る電源コンバータではスイッチモードを搭載したスイッチモード電源コンバータ１９を採用したが、単にＡＣ（交流）／ＤＣ（直流）変換可能なコンバータを設けておき、別途スイッチ側にロータリースイッチ等のモード選択可能なスイッチを採用してもよい。さらに、必要に応じて、補助照明装置のＡＣドライバー７についてもスイッチモードを付加させてもよいし、照明装置とは別個に照明のモードを変更するためのスイッチを設けてもよい。
【００３７】
さらに、ＬＥＤ素子は、光の三原色である赤色（Ｒ）、緑色（Ｇ）、青色（Ｂ）のいずれかをそれぞれ発光するＬＥＤ素子の群を構成させて、それぞれの群毎に単独又は所望の群の組み合わせ、さらにはそれぞれの群内での発光数も含めた所望の群の組み合わせで、所望の色相に発色可能に制御可能にしてもよい。
このような複数のＬＥＤ素子を基板２３に配列することで、様々な色相の発光を表現できるので、状況に応じて白色（あるいは無色）も含めて自由に発光色を選択することが可能となる。
【００３８】
なお、段落００３５から段落００３７までは照明装置１８の基板２３に実装されるＬＥＤ素子について説明したが、説明したようなＬＥＤ素子（暖色系ＬＥＤ２４ａ、寒色系ＬＥＤ２４ｂ、中間系のＬＥＤ、赤色ＬＥＤ、緑色ＬＥＤ、青色ＬＥＤ等）及びその制御を、これまで説明した補助照明装置１〜１ｄの基板２，１５に実装されるＬＥＤ素子３に採用してもよい。また、特に照明システム１ｅの照明装置１８と補助照明装置１ｄで採用する場合には、照明装置１８のＬＥＤ素子と補助照明装置１ｄのＬＥＤ素子で別個独立の制御を行うことによれば、状況に応じてより効果的な発光パターンを演出することが可能となる。
なお、本実施の形態に係る補助照明装置１ｄに対して、これまで説明した実施の形態あるいはその変形例に係る補助照明装置の構造を採用してもよく、その場合にはそれらと同様な作用、効果を発揮することができる。
【００３９】
以上説明したとおり、本発明の実施の形態である補助照明装置及び照明システムにおいては、以下の優れた効果を発揮することが可能である。
（１）照明装置の周囲の天井面及びその下方を効率的かつ効果的に照らすことができる。
（２）カバー内面に基板に対するマウント部となる支持部材を設けることでＬＥＤ素子を実装する基板を着脱可能に固定することが可能であり、また、ＬＥＤ素子とカバーの下面との距離も容易にとることが可能である。
（３）照明装置の周囲に設けられる構造物がある場合はその構造物に容易に係止して着脱可能に固定することが可能であり、工事を容易、短期間かつ安価に実施することが可能である。また、時期・季節・土地柄の他、用途に応じてカバーを交換する場合にも便利であり、頻繁に交換することも可能である。また、カバーの色については赤、緑、青、黄、白（あるいは無色）など様々な着色が可能であり、透明あるいは半透明についても選択が可能である。
（４）照明装置の周囲に設けられる構造物がない場合には鍔部を備えた筒状挿入物を凹部に挿入することで鍔部を構造物として容易に係止して着脱可能に固定することが可能で（３）と同様の効果を発揮することができる。
（５）ＬＥＤ素子に色温度の仕様が異なる少なくとも２種類のＬＥＤ素子や光の三原色である赤色、緑色、青色のいずれかをそれぞれ発光するＬＥＤ素子を採用することで、補助照明装置の使用される状況に応じて様々な発光色、発光パターン及び色相を演出することが可能である。また、照明システムにおいて、照明装置に採用されるＬＥＤ素子に対しても同様に採用し、別個独立の制御をすることによってさらに多様な発光色、発光パターン及び色相を演出することができる。
【産業上の利用可能性】
【００４０】
本発明の請求項１乃至請求項８に記載された発明は、ダウンライトをはじめとして、多様な照明装置及び照明システムに利用される。
【符号の説明】
【００４１】
１…補助照明装置  １ａ〜１ｄ…補助照明装置  １ｅ…照明システム  ２…基板  ３…ＬＥＤ素子  ４，４ａ…カバー  ５…留め具  ６…筒状挿入物  ６ａ…鍔部  ７…ＡＣドライバー  ８…直流ケーブル  ９…支持部材  １０…孔  １１…縁部  １２…留め孔  １５ａ，１５ｂ…傾斜基板  １６ａ…斜面  １６ｂ…底面  １６ｃ…頂点  １７…装飾縁面  １８…照明装置  １９…スイッチモード電源コンバータ  ２０…放熱フィン  ２１…フード  ２２…反射鏡  ２３…基板  ２４ａ…暖色系ＬＥＤ  ２４ｂ…寒色系ＬＥＤ  ２５…カバー  ２７…鍔状部  ２８…固定具  ３１…照明装置  ３２…交流電源  ３３…交流ケーブル  ３４…電源コンバータ  ３５…放熱フィン  ３６…フード  ３７…反射鏡  ３８…基板  ３９…ＬＥＤ素子  ４０…カバー  ４１…固定具  ４２…天井  ４２ａ…天井面  ４３…凹部
【図１】
2017107699.tif 000003
【図２】
2017107699.tif 000004
【図３】
2017107699.tif 000005
【図４】
2017107699.tif 000006
【図５】
2017107699.tif 000007
【図６】
2017107699.tif 000008
【図７】
2017107699.tif 000009
【図８】
2017107699.tif 000010
【図９】
2017107699.tif 000011